(57)【要約】【課題】落下物の衝突による吐水操作を防止する水栓装置を提供すること。【解決手段】本発明は、第１吐水部（カラン側吐水部２３）と、第２吐水部（シャワー側吐水部２４）を有する水栓本体２と、前記水栓本体２に回動自在に取り付けられる操作ハンドル（切替ハンドル２２）と、を備え、前記操作ハンドルの把手部２２ｂを前記回動方向下方側から上方側に向かって回動させるに従い、止水、前記第１吐水部からの吐水、前記第２吐水部からの吐水、の順で、切り替える水栓装置１を提供する。【選択図】図２
2020148089.tif 000002
【特許請求の範囲】
【請求項１】
第１吐水部と、第２吐水部を有する水栓本体と、
前記水栓本体に回動自在に取り付けられる操作ハンドルと、を備え、
前記操作ハンドルの把手部を前記回動方向下方側から上方側に向かって回動させるに従い、止水、前記第１吐水部からの吐水、前記第２吐水部からの吐水、の順で、切り替える水栓装置。
【請求項２】
前記操作ハンドルは、前記把手部の先端部が前記回動方向の最下点に配置された状態を止水状態にする請求項１に記載の水栓装置。
【請求項３】
前記操作ハンドルは、前記第１吐水部と前記第２吐水部の両方から同時に吐水する回動領域を有する請求項１又は２に記載の水栓装置。
【請求項４】
前記操作ハンドルの回動操作は、正面側において、前記把手部の先端が頂点から最下点に至る範囲内に制限される請求項１〜３に記載の水栓装置。
【発明の詳細な説明】
【技術分野】
【０００１】
本発明は、水栓装置に関する。
【背景技術】
【０００２】
従来、切替ハンドルのレバーを水平に配置した状態で止水すると共に、このレバーを時計又は反時計方向に回動させることにより、吐水状態に切り替え可能なシリンダ式弁装置を備えた水栓装置が知られている（例えば、特許文献１参照）。
【先行技術文献】
【特許文献】
【０００３】
【特許文献１】特開２０１２−２４７０３８号公報
【発明の概要】
【発明が解決しようとする課題】
【０００４】
しかしながら、特許文献１の水栓装置では、レバーに落下物が衝突した衝撃により吐水に切り替わる場合があり、操作者が止水操作を行う必要がある。そのため、地震などの災害により生じる落下物により、レバーの吐水操作が行われた後、周知されずに放置されると、水栓装置から湯水が吐水され続けるという構造上の課題があった。
【０００５】
本発明は、上記課題に鑑みなされたものであり、落下物の衝突による吐水操作を防止可能な水栓装置を提供することを目的とする。
【課題を解決するための手段】
【０００６】
上記目的を達成するために本発明は、第１吐水部（例えば、後述するカラン側吐水部２３）と、第２吐水部（例えば、後述するシャワー側吐水部２４）を有する水栓本体（例えば、後述する水栓本体２）と、前記水栓本体に回動自在に取り付けられる操作ハンドル（例えば、後述する切替ハンドル２２）とを備え、前記操作ハンドルの把手部（例えば、後述する把手部２２ｂ）を前記回動方向下方側から上方側に向かって回動させるに従い、止水、前記第１吐水部からの吐水、前記第２吐水部からの吐水、の順で、切り替える水栓装置（例えば、後述する水栓装置１）を提供する。
【０００７】
また、前記操作ハンドルは、前記把手部の先端部（例えば後述する先端部２２ｃ）が回動方向の最下点に配置された状態を止水状態にすることが好ましい。
【０００８】
また、前記操作ハンドルは、前記第１吐水部と前記第２吐水部の両方から同時に吐水する回動領域を有することが好ましい。
【０００９】
また、前記操作ハンドルの回動操作は、正面側において、前記把手部の先端が頂点から最下点に至る範囲内に制限されることが好ましい。
【発明の効果】
【００１０】
本発明によれば、落下物の衝突による吐水操作を防止可能な水栓装置を提供することができる。
【図面の簡単な説明】
【００１１】
【図１】本発明の第１実施形態に係る水栓装置を示す斜視図である。
【図２】図１の水栓装置内部における各構成要素の配置を示す図である。
【図３】図１の水栓装置をシリンダ式弁装置の断面を含んで示す部分破断断面図である。
【図４】本発明に係るシリンダ式弁装置の斜視図である。
【図５】図４のシリンダ式弁装置のシリンダ弁体および外筒部材を示す斜視図である。
【図６】図３のシリンダ式弁装置が閉止状態にあるときのＡ−Ａ線断面図である。
【図７】図３のシリンダ式弁装置がカラン側吐水状態にあるときのＡ−Ａ線断面図である。
【図８】図３のシリンダ式弁装置がシャワー側吐水状態にあるときのＡ−Ａ線断面図である。
【図９】図４のシリンダ式弁装置の変形例を示す斜視図である。
【図１０】図９のシリンダ式弁装置のＢ−Ｂ線断面図である。
【図１１】本発明の第２実施形態に係る水栓装置を示す斜視図である。
【図１２】図１１の切替弁温度調節ユニットを示す斜視図である。
【図１３】図１２の切替弁温度調節ユニットの内部構造を示す斜視図である。
【図１４】図１３のシリンダ式弁装置を示す斜視図である。
【図１５】図１４のシリンダ式弁装置の弁ケースを示す斜視図である。
【図１６】図１４のシリンダ式弁装置のシリンダ弁体を示す斜視図である。
【図１７】図１４のＣ−Ｃ線断面図である。
【発明を実施するための形態】
【００１２】
以下、図面を参照しながら本発明の実施形態について詳述することにより本発明を明らかにする。以下に参照する各図において、対応部は同一の符号により示されている。
【００１３】
［第１実施形態］
図１は、本発明の一実施形態としてのシリンダ式弁装置１００を適用した水栓装置１を示す斜視図である。図２は、図１の水栓装置１内部における各構成要素の配置を示す図である。ここで、水栓本体２に対して、カラン側吐水部２３が配置される側を正面とする。
【００１４】
図１及び図２において、本実施形態の水栓装置１は、水栓本体２と、一対のクランク脚３（水側クランク脚３ａ及び湯側水側クランク脚３ｂ）と、カラン側吐水部２３と、シャワー側吐水部２４と、を含んで構成される。
水栓装置１は、クランク脚３から供給される水と湯の混合比と、各流量を適宣調節した後、各吐水部より吐水する。
【００１５】
水栓本体２は接続部２１でクランク脚３に接続されることにより、浴室等の壁に固定される。水栓本体２は、中央のハウジング２ａ内に、後述するシリンダ式弁装置１００と、温度調節装置２００とを内蔵している。ハウジング２ａに向かって右側には切替ハンドル２２が設けられ、ハウジング２ａに向かって左側には温度調節ハンドル２５が設けられている。
そして、切替ハンドル２２はシリンダ式弁装置１００に接続され、温度調節ハンドル２５は温度調節装置２００に接続されている。
【００１６】
水栓本体２には、その下側にカラン側吐水部２３が接続され、また、水栓本体２の背面側には、シャワー側吐水部２４が接続されている。カラン側吐水部２３及びシャワー側吐水部２４には、それぞれシリンダ式弁装置１００の各開口から各吐水口に至る、カラン側流路Ｆ１と、シャワー側流路Ｆ２が設けられている。
【００１７】
切替ハンドル２２及び温度調節ハンドル２５は、水栓本体２に対して所定方向に回動自在に設けられる。
切替ハンドル２２は、回転操作によってカラン側吐水部２３からの吐水と、シャワー側吐水部２４からの吐水との切り替えを行うと共に、各吐水部からの吐水流量を調節する。この切替ハンドル２２内部には、切替ハンドル２２側からハウジング２ａに至り、貫通した状態でシリンダ式弁装置１００が設置される。切替ハンドル２２の外周部２２ａには、切替ハンドル２２の接線方向に向けて延出する把手部２２ｂが設けられる。本実施形態においては、この把手部２２ｂの先端部２２ｃの位置を止水、吐水の変更状態の確認の目安として利用する。
また、温度調節ハンドル２５内部には、この温度調節ハンドル２５内部からハウジング２ａ内部に貫通した状態で温度調節装置２００が設置され、回転操作によって吐水の温度調節を行う。
【００１８】
次に、図３〜図５を参照してシリンダ式弁装置１００について詳細に説明する。
図３は、図１の水栓装置１をシリンダ式弁装置１００の断面を含んで示す部分破断断面図である。図４は、本発明の一実施形態としてのシリンダ式弁装置１００の斜視図である。図５は、図４のシリンダ式弁装置１００のシリンダ弁体１１０および外筒部材１６０を示す斜視図である。
【００１９】
シリンダ式弁装置１００は、切替ハンドル２２の回動操作に連動して、温度調節装置２００（図２）により温度調節された湯を、カラン側吐水部２３から吐水するか、又は、シャワー側吐水部２４から吐水するかにおいて、その状態を切替えると共に、各吐水部の吐水流量の調節を行う。
【００２０】
シリンダ式弁装置１００は、切替ハンドル２２の回転軸方向に延びる筒状体である。また、シリンダ式弁装置１００は、切替ハンドル２２の操作に連動して軸周りに回転可能なシリンダ弁体１１０と、このシリンダ弁体１１０の一部を、内部に嵌め合わせるようにして収容する外筒部材１６０と、シリンダ弁体１１０と外筒部材１６０と、を内部に収容する弁ケース１５０と、を有する。
シリンダ弁体１１０と外筒部材１６０は弁ケース１５０に対して、一体的に回転可能であり、外筒部材１６０はシリンダ弁体１１０の一部とも言える。
【００２１】
シリンダ弁体１１０には、その内部に流水供給流路１１１が同心状に形成され、且つその周面に流水供給流路１１１に貫通するシリンダ弁体側開口１２０が設けられている。
更に、シリンダ弁体１１０には、流水供給流路１１１の終端側の切替ハンドル２２側の端部から、切替ハンドル２２の内部に同軸状に延びる駆動軸部１１２が設けられている。駆動軸部１１２の先端近傍には、切替ハンドル２２の内部に形成された被嵌合部と嵌合するセレーション部１１２ａが形成されている。
外筒部材１６０は、シリンダ弁体側開口１２０に対応する位置にシリンダ弁体側開口１６１が設けられている。図６に示されたように、シリンダ弁体側開口１６１は軸方向に並んだ相似的な２つの開口部１６１ａ及び１６１ｂを含んで構成される。シリンダ弁体側開口１６１は、周方向に大きな広がりを持つシリンダ弁体側開口１２０を弁ケース側開口１５１、１５２に合わせ流量を適正にしている。
【００２２】
弁ケース１５０は、シリンダ弁体側開口１２０、１６１に対応するように軸方向位置を同じくし且つ周方向に離隔した複数の弁ケース側第１開口１５１と弁ケース側第２開口１５２を有する（図４参照）。
なお、弁ケース１５０は、切替ハンドル２２に連動して回動することはない。そのため、シリンダ弁体側開口１２０、１６１が、回動することにより、弁ケース１５０の一方の開口である弁ケース側第１開口１５１、若しくは、弁ケース側第２開口１５２に対応した位置で、各開口に流水供給流路１１１を挿通させる。
【００２３】
弁ケース側第１開口１５１は流路Ｆ１を通してカラン側吐水部２３に通じるカラン側開口である。また、他方の開口である弁ケース側第２開口１５２は流路Ｆ２を通してシャワー側吐水部２４に通じるシャワー側開口である。尚、図３におけるカラン側吐水部２３に通じる流路Ｆ１は、大部分が図３の断面よりも下方（図面の奥行方向）を廻って図２において二点鎖線図示の部分（符号Ｆ１）に通じている。
【００２４】
ここで、図４に示す弁ケース１５０のカラン側開口１５１の縁部には、形状が維持されるように適宜の枠部材等によって形成されるシール部材１７１が設けられている。このシール部材１７１は、Ｏリングと同様にシール部材として機能し、開口からハウジング２ａ内部に湯水が漏えいすることを阻止するパッキンである。
シャワー側開口１５２についても同様に、その縁部にシール部材１７２が設けられ、開口からハウジング２ａ内部に湯水が漏えいすることを阻止するパッキンである。
【００２５】
外筒側開口１６１の形状は、流水供給流路１１１から供給される湯水の流量を切替ハンドル２２の位置に応じて適宣調節可能に形成されている。
また、図６には、外筒部材１６０の外周部において、周方向に１対の外筒側開口１６１を形成した例を示しているが、該開口部の数を増やすこともできる。この場合、弁ケース側第１開口１５１及び弁ケース側第２開口１５２にそれぞれ挿通する位置となるように、弁ケース側の開口を形成することが好ましい。
【００２６】
以下、本実施形態の水栓装置１による動作について図６〜図８を用いて説明する。図６〜図８はシリンダ弁体１１０側から切替ハンドル２２側を見る視座で描かれている。
図６は、図３のシリンダ式弁装置１００が閉止状態（止水状態）にあるときのＡ−Ａ線断面図である。図７は、図３のシリンダ式弁装置１００がカラン側吐水状態にあるときのＡ−Ａ線断面図である。図８は、図３のシリンダ式弁装置１００がシャワー側吐水状態にあるときのＡ−Ａ線断面図である。
なお、各図において、切替ハンドル２２を便宜上二点鎖線で図示し、切替ハンドル２２と、シリンダ弁体１１０との対応関係を示している。切替ハンドル２２と、シリンダ弁体１１０とは、上述の駆動軸部１１２によって接続され、切替ハンドル２２の回動に合わせて、シリンダ弁体１１０と、外筒部材１６０とは、一緒に回転する。
【００２７】
まず、図６の状態は、把手部２２ｂの先端部２２ｃが、回転方向Ｒ、最下点Ｐ０に配置された場合であり、シリンダ弁体側開口１２０（及び、外筒側開口１６１）は、カラン側開口１５１及びシャワー側開口１５２の何れとも連通せず、流水供給流路１１１との連通路は形成されない。従って、この状態は、水栓装置１として止水の状態にある。
【００２８】
続いて、図７の状態では、回転軸ｘを中心に、把手部２２ｂを回転方向Ｒ（図７における反時計方向である使用者側手前方向）に９０度持ち上げたことにより、先端部２２ｃは中間点Ｐ１に配置され把手部２２ｂは略水平となる。これにより、シリンダ弁体側開口１２０（及び、外筒側開口１６１）はカラン側開口１５１と連通し、流水供給流路１１１から供給される湯水が、カラン側開口１５１を経由して、カラン側吐水部２３から吐水される。
【００２９】
続いて、図８の状態では、さらに、把手部２２ｂを回転方向Ｒ（図８における反時計方向である使用者側手前方向）に９０度持ち上げたことにより、先端部２２ｃは頂点Ｐ２に配置され把手部２２ｂは鉛直方向上向きとなる。これにより、シリンダ弁体側開口１２０（及び、外筒側開口１６１）はカラン側開口１５１との連通は解除され、代わりにシャワー側開口１５２との連通路が形成される。そして、流水供給流路１１１を通して供給される水（湯）が、シャワー側吐水部２４から吐水される。
【００３０】
そして、水栓装置１の使用後は、使用者により、把手部２２ｂが押し下げられ、先端部２２ｃが最下点Ｐ０に一致することにより、水栓装置１は止水状態に戻る。
また、シリンダ弁体側開口１６１の周方向の幅がカラン側開口１５１及びシャワー側開口１５２の間隔よりも広いため、シリンダ弁体１１０の或る回動角度範囲において、シリンダ弁体側開口１６１はカラン側開口１５１及びシャワー側開口１５２の双方ともに重なるように設けられる。切替ハンドル２２を回動操作すると、上述の或る回動角度範囲（又は、これに対応する角度範囲）においては、シリンダ弁体１１０内の温水供給流路１１１が、シリンダ弁体側開口１２０、１６１を通してカラン側開口１５１及びシャワー側開口１５２の双方と連通し、カランとシャワーとの双方から吐水することになる。この回動角度範囲を越えて、切替ハンドル２２を上方に回転させると、カラン側からの吐水は閉止し、シャワー側から吐水することになる。これにより、カラン側開口１５１及びシャワー側開口１５２の間の不安定な位置で使用者が止水操作をしたと勘違いすることを防止する。
【００３１】
次に、図１から図８を参照して説明したシリンダ式弁装置１００の変形例であるシリンダ式弁装置１００ａについて、図９及び図１０を参照して説明する。
図９は、図４のシリンダ式弁装置の変形例を示す斜視図であり、図１０は、図９のシリンダ式弁装置１００ａのＢ−Ｂ線断面図である。
【００３２】
図９及び図１０に示すシリンダ式弁装置１００ａは、シリンダ弁体１１０の回転軸ｘから弁ケース側第１開口１５１の中心に向かう方向と、シリンダ弁体１１０の回転軸ｘから弁ケース側第２開口１５２の中心に向かう方向とのなす角θ１が９０度であったシリンダ式弁装置１００に対して、これに対応する角θ２が１２０度である点で相違する。
【００３３】
続いて、シリンダ式弁装置１００ａの動作について説明する。
図１０中、二点鎖線により図示する切替ハンドル２２は、その把手部２２ｂを下向きとしている。これにより、シリンダ弁体側開口１２０はカラン側開口１５１ａ及びシャワー側開口１５２ａの何れとも、流水供給流路１１１との連通路が構成されない。従って、この状態は、水栓装置１として止水状態にある。
この状態から、把手部２２ｂを９０度持ち上げるようにして回動させることにより、カラン側開口１５１ａからの吐水状態に切替わる。この状態から、更に、把手部２２ｂを１２０度回動させることにより、シャワー側開口１５２ａからの吐水状態に切替わる。
また、水栓装置１の使用後は、正面側に向かって、把手部２２ｂを２４０度回転させることにより、水栓装置１を止水状態に戻すことができる。
本変形例では、カラン側開口１５１ａとシャワー側開口１５２ａとの間隔が、シリンダ弁体側開口１６１の周方向の幅よりも広い。そのため、シリンダ弁体側開口１６１がカラン側開口１５１ａ及びシャワー側開口１５２ａの双方ともに重なることがなく、カラン側開口１５１ａ及びシャワー側開口１５２ａの間の位置でも止水することができる。
また、シリンダ弁体側開口１２０、１６１とシャワー側開口１５２ａとが完全に重なる状態は、把手部２２ｂの先端部２２ｃが最下点Ｐ０の位置から２１０°の位置となるが、カラン吐水状態である９０°の位置からの初期動作は下方側から上方側への操作となる。
【００３４】
以上説明した、本実施形態に係る水栓装置１によれば、以下の効果が奏される。
【００３５】
本実施形態に係る水栓装置１では、カラン側吐水部２３と、シャワー側吐水部２４を有する水栓本体２と、水栓本体２に回動自在に取り付けられる切替ハンドル２２と、水栓本体２に回動可能に嵌入させると共に、切替ハンドル２２の回動操作に連動して、水栓本体２における止水と、吐水を切り替えるシリンダ式弁装置１００と、を備える構成にした。
より詳しくは、シリンダ式弁装置１００は、前記操作ハンドルの把手部２２ｂを回転方向Ｒ下方側から上方側に向かって回動させるに従い、水栓本体２を、止水、第１吐水部からの吐水、前記第２吐水部からの吐水、の順で、切り替える構成にした。
これにより、本実施形態によれば、水栓装置１の切替ハンドル２２の把手部２２ｂに落下物が衝突した場合であっても、該切替ハンドル２２は止水から吐水に切り替わる操作が行われない。
従って、落下物の衝突による吐水操作を防止することができる。
【００３６】
更には、本実施形態では、止水、カラン、シャワーの順で切替可能な構成にした。
つまり、操作ハンドル２２を漸次所定角度引き上げることによって、止水→カラン吐水→シャワー吐水の如く切替わり、止水→シャワー吐水といったシャワー吐水への一足飛びの切替えが原理的に生じない。これにより、使用者は、カランの状態で、吐水される湯水の温度を確認することができる。このため、湯温が上がらないうちに、これに気づく機会がないまま、不用意に冷たい水をシャワーから浴びせられるといった不都合も原理的に回避される。
【００３７】
また、本実施形態では、シリンダ式弁装置１００は、把手部２２ｂの先端部２２ｃが最下点Ｐ０に配置された場合、水栓本体２を止水状態にする構成した。
これにより、本実施形態によれば、止水状態の把手部２２ｂは切替ハンドル２２の下方側に隠れるため、落下物が把手部２２ｂに衝突することが無い。その結果、把手部２２ｂの損傷を防ぐことができる。
【００３８】
また、本実施形態に係るシリンダ式弁装置１００は、水栓装置１の切替ハンドル２２の回動操作は、正面側において、把手部２２ｂの先端が頂点から最下点に至る範囲内に制限する構成にできる。
これにより、本実施形態によれば、把手部２２ｂが誤って、水栓本体２の背面側に回動することを防止する。その結果、水栓本体２の背面側に回動スペースを確保する必要がない。
【００３９】
［第２実施形態］
第２実施形態に係る水栓装置１ｂは、ハウジング２ａ内に、切替え弁機能部分であるシリンダ式弁装置１００ｂと温度調節機能部分である温度調節装置２００ｂとが一体となった切替弁温度調節ユニット３００を適用して構成されている。以下、図１１〜図１６を参照して、具体的に説明する。
図１１は、本発明の第２実施形態に係る水栓装置１ｂを示す上面図である。図１２は、図１１の切替弁温度調節ユニット３００を示す斜視図である。図１３は、図１２の切替弁温度調節ユニット３００の内部構造を示す斜視図である。図１４は、図１３のシリンダ式弁装置を示す斜視図である。図１５は、図１４のシリンダ式弁装置の弁ケースを示す斜視図である。図１６は、図１４のシリンダ式弁装置のシリンダ弁体を示す斜視図である。
【００４０】
切替弁温度調節ユニット３００は、止水・吐水の切替操作、流量調節操作、温度調節操作をそれぞれ行うことが可能な一つのユニットとして、ハウジング２ａ内に配置される。切替弁温度調節ユニット３００内には、シリンダ式弁装置１００ｂと、温度調節装置２００ｂが配置される。切替弁温度調節ユニット３００の外殻３０１には、中央よりも温度調節装置２００ｂ寄りに湯供給用開口１１１ｂが設けられている。図示しない水供給用開口は湯供給用開口１１１ｂの周方向の逆側に設けられる。外殻３０１にはまた、カラン側吐水部２３に連通可能なカラン側開口１８１ｂと、シャワー側吐水部２４に連通可能なシャワー側開口１８２ｂと、が設けられる。
【００４１】
カラン側開口１８１ｂと、シャワー側開口１８２ｂは、外殻３０１の軸方向同じ位置に配置されると共に、周方向において約９０度離隔した位置に設けられる。
また、カラン側開口１８１ｂと、シャワー側開口１８２ｂは、ハウジング２ａ内の略中央に配置されるように設けられており、それぞれ、カラン側流路Ｆ３と、シャワー側流路Ｆ４に接続される。
【００４２】
続いて、切替弁温度調節ユニット３００の外殻３０１は、同軸方向に略円筒状の形状を有し、外殻３０１内部に、シリンダ式弁装置１００ｂと、温度調節装置２００ｂとが、同軸上に配置される。
【００４３】
シリンダ式弁装置１００ｂは切替弁温度調節ユニット３００の略中央部分に配置され、このシリンダ式弁装置１００ｂのシリンダ弁体１１０ｂは、外殻３０１の内部の弁ケース１５０ｂ内において回転可能に配置されている。
シリンダ弁体１１０ｂの右端側には、同軸状に連なる駆動軸部１１２が切替弁温度調節ユニット３００の右端側まで軸方向に延びて、その先端側が外殻３０１から突出している。この突出した部分が、切替ハンドル２２に嵌め合わされる（図１１参照）。
【００４４】
一方、温度調節装置２００ｂは、外殻３０１内部の左側に配置されている。温度調節装置２００ｂの左側に突出した軸部分が、温度調節ハンドル２５に嵌め合わされる（図１１参照）。
【００４５】
外殻３０１の内部に配された弁ケース１５０ｂには、既述の外殻３０１におけるカラン側開口１８１ｂ及びシャワー側開口１８２ｂに対応した位置に、弁ケース１５０ｂにおけるカラン側開口２５１及びシャワー側開口２５２が形成されている。
カラン側開口２５１及びシャワー側開口２５２には、図６に示した弁ケース１５０と同様に、軸方向に並んだ相似的な２つの開口部２５１ａと開口部２５１ｂ、及び、開口部２５２ａと開口部２５２ｂが、それぞれ形成されている。
また、図１４に示すように、カラン側開口２５１及びシャワー側開口２５２の各開口の縁部には、それぞれ、シール部材２７１及びシール部材２７２が、設けられている。
【００４６】
また、図１６に示すシリンダ弁体１１０ｂの外周部には、シリンダ弁体１１０ｂ内部の水供給用開口１１１ｂに連通可能なシリンダ弁体側開口２２１及び２２２が形成されている。加えて、このシリンダ弁体側開口２２１及び２２２には、軸方向に並んだ相似的な２つの開口部２２１ａと２２１ｂ、及び、開口部２２２ａと２２２ｂが、それぞれ形成されている。
【００４７】
シリンダ弁体１１０ｂの開口部は、シリンダ弁体側第１開口２２１と、シリンダ弁体側第２開口２２２によって形成される。
【００４８】
そして、切替ハンドル２２を回動させることにより、シリンダ弁体１１０ｂが連動して回動する一方、外殻３０１と、弁ケース１５０ｂとは回動せずに、一体に固定されている。
従って、カラン側開口２５１及びシャワー側開口２５２は、外殻３０１に設けられるカラン側開口１８１ｂ及びシャワー側開口１８２ｂのそれぞれに常に連通された状態になる。
それに対し、切替ハンドル２２を回動させることにより、シリンダ弁体側開口２２１及び２２２が、カラン側開口２５１及び／又はシャワー側開口２５２に連通することにより、温度調節装置２００ｂから供給される湯水が、カラン側及び／又はシャワー側から吐出される。
【００４９】
以下、本実施形態の水栓装置１による動作について図１７を用いて説明する。
図１７は、図１４のＣ−Ｃ線断面図である。なお、上記第１実施形態と同様に、切替ハンドル２２を二点鎖線により図示している。
【００５０】
まず、図１７の状態では、把手部２２ｂの先端部２２ｃは、回転方向Ｒ、最下点Ｐ０に配置され、シリンダ弁体側開口２２１及び２２２は、カラン側開口２５１及びシャワー側開口２５２の何れとも連通していない。そのため、水栓装置１ｂは、止水の状態にある。
【００５１】
続いて、把手部２２ｂを回転方向Ｒ（使用者側手前方向）に約７０度持ち上げることにより、シリンダ弁体側開口２２１はカラン側開口２５１と連通し、流水供給流路１１１から供給される湯水が、カラン側吐水部２３から吐水される。
【００５２】
さらに、把手部２２ｂを回転方向Ｒ（使用者側手前方向）に約７０度持ち上げることにより、シリンダ弁体側開口２２１はシャワー側開口２５２に連通すると共に、シリンダ弁体側開口２２２はカラン側開口２５１に連通する。
これにより、流水供給流路１１１から供給される湯水が、カラン側吐水部２３及びシャワー側吐水部２４から同時に吐水される。
【００５３】
そして、把手部２２ｂを回転方向Ｒにさらに約７０度持ち上げる（後半は背面側に向けて押回す）ことにより、シリンダ弁体側開口２２２とカラン側開口２５１との連通は解除される一方、シリンダ弁体側開口２２２とシャワー側開口２５２との連通路が形成される。
これにより、流水供給流路１１１を通して供給される湯水が、シャワー側吐水部２４のみから吐水される。
【００５４】
なお、使用後は、把手部２２ｂを背面側、若しくは正面側に回動させ、先端部２２ｃを、最下点Ｐ０に一致させることにより、水栓装置１ｂは止水状態となる。
【００５５】
以上、本実施形態に係る水栓装置では、前記シリンダ式弁装置側の開口部は、少なくとも、前記第１吐水部の供給側開口と、前記第２吐水部の供給側開口の両方に跨るよう、周方向に沿って形成される構成にした。
これにより、シリンダ式弁装置が所定の領域を回動している間、湯水を、第１吐水部と第２吐水部の両方から同時に吐水させることができる。その結果、使用者は、把手部２２ｂの位置を視認することなく、カランから止水への切替動作を行っているのか、若しくはカランからシャワーへの切替動作を行っているかを把握することができる。
従って、切替中の誤動作を防止することができる。
【００５６】
なお、本発明は上記各実施形態に限定されるものではなく、本発明の目的を達成できる範囲での変形、改良等は本発明に含まれる。
例えば、止水の状態にある把手部の先端位置は最下点に限らない。先端位置が最下点から所定の角度持ち上がった位置を止水の状態としてもよい。もしくは、最下点から所定の角度上昇させた位置まで止水状態が維持されるように、止水動作の条件を変更しても良い。
【００５７】
また、本発明の水栓装置においては、１つ、若しくは、それ以上の吐水部を、水栓本体に追加することができる。具体的には、水栓本体に、別途ミスト用の吐水部や、オーバーヘッド用の吐水部を設け、カランと、シャワーとの間、若しくはシャワーの後に来るように、その設計を変更することもできる。
【符号の説明】
【００５８】
１…水栓装置
２…水栓本体
２２…切替ハンドル（操作ハンドル）
２２ｂ…把手部
２２ｃ…先端部
１００…シリンダ式弁装置
２３…カラン側吐水部（第１吐水部）
２４…シャワー側吐水部（第２吐水部）
【図１】
2020148089.tif 000003
【図２】
2020148089.tif 000004
【図３】
2020148089.tif 000005
【図４】
2020148089.tif 000006
【図５】
2020148089.tif 000007
【図６】
2020148089.tif 000008
【図７】
2020148089.tif 000009
【図８】
2020148089.tif 000010
【図９】
2020148089.tif 000011
【図１０】
2020148089.tif 000012
【図１１】
2020148089.tif 000013
【図１２】
2020148089.tif 000014
【図１３】
2020148089.tif 000015
【図１４】
2020148089.tif 000016
【図１５】
2020148089.tif 000017
【図１６】
2020148089.tif 000018
【図１７】
2020148089.tif 000019
【手続補正書】
【提出日】令和2年6月10日(2020.6.10)
【手続補正１】
【補正対象書類名】特許請求の範囲
【補正対象項目名】全文
【補正方法】変更
【補正の内容】
【特許請求の範囲】
【請求項１】
軸周りに回転可能で内部に流水供給流路が形成されたシリンダ弁体、及び前記シリンダ弁体を内部に収容する弁ケースを有するシリンダ式弁装置と、
前記シリンダ式弁装置をハウジングに内蔵する水栓本体と、を備えた水栓装置であって、
前記シリンダ弁体は、その周面に前記流水供給流路に貫通するシリンダ弁体側開口を周方向に有し、
前記弁ケースは、前記シリンダ弁体側開口に対応するように軸方向位置を同じくし且つ周方向に離隔した複数の弁ケース側開口を有し、
前記シリンダ弁体が回転することにより前記シリンダ弁体側開口と、複数の前記弁ケース側開口のうちいずれか一方とが挿通可能であり、
前記弁ケース側開口に、前記ハウジングと前記シリンダ弁体との間をシールするシール部材を設けた
水栓装置。
【請求項２】
軸周りに回転可能で内部に流水供給流路が形成されたシリンダ弁体、及び前記シリンダ弁体を内部に収容する弁ケースを有するシリンダ式弁装置と、
前記シリンダ式弁装置をハウジングに内蔵する水栓本体と、を備えた水栓装置であって、
前記シリンダ弁体は、その周面に前記流水供給流路に貫通するシリンダ弁体側開口を周方向に有し、
前記弁ケースは、前記シリンダ弁体側開口に対応するように軸方向位置を同じくし且つ周方向に離隔した複数の弁ケース側開口を有し、
前記シリンダ弁体が回転することにより前記シリンダ弁体側開口と、複数の前記弁ケース側開口のうちいずれか一方とが挿通可能であり、
前記弁ケース側開口に、当該弁ケース側開口の周囲へ水が漏洩することを阻止するシール部材を設けた
水栓装置。
【手続補正２】
【補正対象書類名】明細書
【補正対象項目名】０００５
【補正方法】変更
【補正の内容】
【０００５】
水栓装置の１実施形態は、上記課題に鑑みなされたものであり、落下物の衝突による吐水操作を防止可能な水栓装置を提供することを目的とする。
また、水栓装置の別の実施形態は、ハウジングとシリンダ弁体との間をシールすることができる水栓装置を提供することを目的とする。
【手続補正３】
【補正対象書類名】明細書
【補正対象項目名】０００６
【補正方法】変更
【補正の内容】
【０００６】
本発明は、軸周りに回転可能で内部に流水供給流路が形成されたシリンダ弁体（例えば、後述するシリンダ弁体１１０）、及びシリンダ弁体を内部に収容する弁ケース（例えば、後述する弁ケース１５０）を有するシリンダ式弁装置（例えば、後述するシリンダ式弁装置１００）と、シリンダ式弁装置をハウジング（例えば、後述するハウジング２ａ）に内蔵する水栓本体（例えば、後述する水栓本体２）と、を備えた水栓装置であって、シリンダ弁体は、その周面に流水供給流路に貫通するシリンダ弁体側開口（例えば、後述するシリンダ弁体側開口１２０）を周方向に有し、弁ケースは、シリンダ弁体側開口に対応するように軸方向位置を同じくし且つ周方向に離隔した複数の弁ケース側開口（例えば、後述する弁ケース側開口１５１、１５２）を有し、シリンダ弁体が回転することによりシリンダ弁体側開口と、複数の弁ケース側開口のうちいずれか一方とが挿通可能であり、弁ケース側開口に、ハウジングとシリンダ弁体との間をシールするシール部材を設けた水栓装置を提供する。
本発明は、軸周りに回転可能で内部に流水供給流路が形成されたシリンダ弁体、及び前記シリンダ弁体を内部に収容する弁ケースを有するシリンダ式弁装置と、前記シリンダ式弁装置をハウジングに内蔵する水栓本体と、を備えた水栓装置であって、シリンダ弁体は、その周面に流水供給流路に貫通するシリンダ弁体側開口を周方向に有し、弁ケースは、シリンダ弁体側開口に対応するように軸方向位置を同じくし且つ周方向に離隔した複数の弁ケース側開口を有し、シリンダ弁体が回転することによりシリンダ弁体側開口と、複数の弁ケース側開口のうちいずれか一方とが挿通可能であり、弁ケース側開口に、当該弁ケース側開口の周囲へ水が漏洩することを阻止するシール部材を設けた水栓装置を提供する。
【手続補正４】
【補正対象書類名】明細書
【補正対象項目名】００１０
【補正方法】変更
【補正の内容】
【００１０】
水栓装置の１実施形態によれば、落下物の衝突による吐水操作を防止可能な水栓装置を提供することができる。
また、水栓装置の別の実施形態では、ハウジングとシリンダ弁体との間をシールすることができる。